(57)【要約】      （修正有）【課題】取り付けられるかまたは取り外される必要がある電球の外面に適合する握持距離を備えたグリップを有する電球交換装置を提供する。【解決手段】電球をつかむのに用いられるグリップ４は、握持距離が電球の寸法に適合するように調整する引き締め管５によって取り囲まれる。２つの開放端を備えた中空管から成る追加的な電球交換装置が、経済的な２ピンまたは差し込みピン取り付け電球を交換するのに用いられる。両方の開放端の内側に、適切な長さで延出する少なくとも２本のピンおよびこの管の片側からもう一方まで配置されるビームがある。ビームの片側はピンを有し、ピンはこの装置の内部壁に取り付けられる枢軸として働き、結果として、ビームの反対側が上方へおよび下方へ持ち上げられることができる。片側をこの装置の最上部に接続されるゴム棒がピン側のビームの下側に取り付けられ、その元の位置にビームを戻す。小さい台が、また、ビームを支持するために反対側にある。【選択図】図６
0003157287.tif 000002
【実用新案登録請求の範囲】
【請求項１】
ねじ電球のための電球交換装置であって、
電球をつかむのに用いられる複数の等間隔の指のような平坦グリップ［４］と、様々なねじ電球の寸法に適合するのに適切な握持距離を有するように前記グリップ［４］を調整するために上方へおよび下方へ移動することができる、把持部分［３］の最上部に位置する１本の引き締め管［５］と、からなる電球交換装置。
【請求項２】
請求項１に記載のねじ電球のための電球交換装置であって、前記様々なねじ電球の寸法に適合するのに適切な握持距離を有するように前記グリップ［４］を調整するために上方へおよび下方へ移動することができる、ハンドル［２］を介して前記把持部分［３］を取り囲む調整管［６］を有する装置。
【請求項３】
両端が開いた中空管から成る２ピンまたは差し込みピン取り付け電球のための請求項１に記載のねじ電球用電球交換装置であって、前記電球交換装置から成る装置。前記装置［７］内部に、適切な長さで延出する複数のピン［８］および前記管の片側からもう一方まで配置されるビーム［９］があり、前記ビーム［９］の片側はピンを有し、そのピンは前記装置［７］の内壁に取り付けられる枢軸として働き、結果として、前記ビーム［９］の反対側が上方へおよび下方へ持ち上げられることができ、片側を前記装置［７］の最上部に接続されるゴム棒が、前記ピン側の前記ビーム［９］の下側に取り付けられ、その元の位置に前記ビーム［９］を戻し、前記ビーム［９］を支持するために反対側にも小さな台と、延伸するピン［８］がその中に挿入される穴部を有するその上端部を備えた長い管ハンドルとがある、装置。
【考案の詳細な説明】
【技術分野】
【０００１】
工業技術主題は電球を交換する際に補助するための装置に関する。
【背景技術】
【０００２】
本考案は、Ｍｒ．Ｓｏｍｊａｉ  Ｖｉｖａｔｖａｎｉｔ氏の版権の下の小特許第２９４２号に関する。このタイ国小特許は、そのネジに１つの欠陥を有する電球交換装置である。この装置が電球を取り外すために使われる時、そのネジは装置のグリップがぴったりと電球の外面をつかむように調整するために回されなければならない。長い間使用されたならば、装置の内部または外部ネジのどちらかが回転の繰り返しのために傷つけられ、ぴったりと電球をつかむように調整可能でないグリップに結びつく。加えて、内部および外部のネジの両方を備えた装置は、製造するのがきわめて難しくなり、したがって、製造費用が高い。この考案に従う考案は、ねじ電球だけを交換するのに用いられることができ、それは、２ピンまたは差し込みピン取り付け電球を交換するのに用いられることができない。
【考案の概要】
【０００３】
電球交換装置が、その下側を使用中に取扱いを補助する長い管の上部に接続される把持部分から成る。その取り付けまたは除去中に電球をつかむのに用いられるグリップが、この把持部分の最上部に等間隔で取り付けられる。これらのグリップは、握持距離が電球の寸法に適合するように上下に移動されることができる引き締め管によって取り囲まれている。
【０００４】
２つの開放端を備えた中空管から成る追加的な電球交換装置が、経済的な２ピンまたは差し込みピン取り付け電球を交換するのに用いられる。両方の開放端の内側に、適切な長さで延出する少なくとも２本のピンおよびこの管の片側からもう一方まで配置されるビームがある。ビームの片側はピンを有し、そのピンは装置の内部壁に取り付けられる枢軸として働き、結果として、ビームの反対側が上方へおよび下方へ持ち上げられることができる。片側をこの装置の最上部に接続されるゴム棒が、ピン側のビームの下側に取り付けられ、その元の位置にビームを戻す。小さな台が、また、ビームを支持するために反対側にある。
【０００５】
本考案の目的は、取り付けられるかまたは取り外される必要がある電球の外面に適合する握持距離を備えたグリップを作り出すことによって小特許第２９４２号の欠陥を修正し、製造プロセスを容易にして、製造費用を減少させ、および、２ピンまたは差し込みピン取り付け電球によるこの装置の使用を可能にすることである。
【図面の簡単な説明】
【０００６】
【図１】通常の家庭において使用されるタングステンねじ電球。
【図２】通常の家庭において使用されるタングステンねじ電球。
【図３】通常の家庭において使用されるネジを備えた省エネルギねじ電球。
【図４】省エネルギ２ピンまたは差し込みピン取り付け電球。
【図５】ねじ電球用の電球交換装置。
【図６】ねじ電球用の電球交換装置。
【図７】ねじ電球用の電球交換装置の別の実施態様。
【図８】２ピンまたは差し込みピン取り付け電球用の追加的な電球交換装置およびねじ電球用の電球交換装置へのその取り付け。
【図９】２ピンまたは差し込みピン取り付け電球用の追加的な電球交換装置およびねじ電球用の電球交換装置へのその取り付け。
【図１０】２ピンまたは差し込みピン取り付け電球用の追加的な電球交換装置の平面図。
【図１１】２ピンまたは差し込みピン取り付け電球用の追加的な電球交換装置の下面図。
【考案を実施するための形態】
【０００７】
図１，２および３は、一般の家庭のねじ電球使用を示す。
【０００８】
図４は、２ピンまたは差し込みピン取り付け電球を示す。
【０００９】
図５および６は、ねじ電球用の電球交換装置［１］を示し、その装置は、その下側をハンドル［２］の上側に接続される把持部分［３］および使用中の取扱いの際に補助する把持部分［３］の下側に接続されるハンドル［２］の上側から成る。把持部分［３］の上側が、その取り付けまたは除去中に電球をつかむのに用いられる、複数の等間隔の指のような平坦グリップ［４］の下側に取り付けられる。
【００１０】
グリップ［４］の先端に、電球の外面上の掴みを強めるのを補助する摩擦ゴムパッドがある。グリップ［４］の外側に、把持部分［３］の最上部に位置する少なくとも一本の引き締め管［５］がある。この管は、グリップ［４］がさ様々なねじ電球の寸法に適合するのに適切な握持距離を有するように調整するために上方へおよび下方へ移動することができ、この装置がそのソケットからねじ電球を取り外すのに用いられることができるようにする。
【００１１】
図７は、ねじ電球の電球交換装置［１］の別のパターンを示し、その装置は、その下側をハンドル［２］の上側に接続される把持部分［３］および使用中の取扱いの際に補助する把持部分［３］の下側に接続されるハンドル［２］の上側から成る。把持部分［３］の上側は、グリップ［４］の下側に取り付けられ、グリップは、その取り付けまたは除去中に電球をつかむのに用いられる。
【００１２】
グリップ［４］の先端に、電球の外面上の掴みを強化するのを補助する摩擦ゴムパッドがある。グリップ［４］の外側に、ハンドル［２］を含む把持部分［３］を取り囲む調整管［６］がある。この管は、調整管［６］が（傷ついたものに代わる）新しい電球の寸法に適合するように調整しなければならないことなく、グリップ［４］が直接に（交換される必要がある）電球の寸法に適合するのに適切な握持距離を有するように調整するために、上方へおよび下方へ移動することができる。結果として、調整管を備えたこの装置は、装置［１］自体がそのソケットから傷ついた電球を取り外すのに用いられることができる前に、新しい電球に適合するように調整されなければならない、引き締め管［５］を備えたものとは異なって作用する。
【００１３】
図８から１１は２ピンまたは差し込みピン取り付け電球用の追加的な電球交換装置［７］を示し、その装置はそれがグリップ［４］の外面上へ組み付けられることができるように両端が開いた中空管である。装置［７］の内側に、適切な長さで延出する少なくとも２本のピン［８］がある。各グリップ［４］は、その先端からよりはるかに離れて位置する中央内に穴部を有する。装置［７］がグリップ［４］の外面上へ組み付けられる時、装置［７］が堅固にグリップ［４］に取り付けられるように、延伸するピン［８］がグリップ［４］内の穴部内にぴったりと挿入される。
【００１４】
２ピンまたは差し込みピン取り付け電球用の電球交換装置［７］の内側に、管の片側からもう一方まで配置されるビーム［９］がある。ビーム［９］の片側はピンを有し、ピンは装置［７］の内部壁に取り付けられる枢軸として働き、結果として、ビーム［９］の反対側が上方へおよび下方へ持ち上げられることができる。片側が装置［７］の最上部に接続されるゴム棒が、ビーム［９］をその元の位置に戻すためにピン側のビーム［９］の下側に取り付けられる。小さい台が、また、ビーム［９］を支持するために反対側にある。装置［７］は、省エネルギ２ピンまたは差し込みピン取り付け電球を、（図１０内に示される）その上部部分を装置［１］のグリップ［４］の外面に置き、そして次に、この省エネルギ電球を装置［７］内に引き抜かれるようにする位置で照明設備の下に装置［７］を挿入することによって、取り外すのに用いられる。ビーム［９］の位置が省エネルギ電球のＵ字型部分と一致する時、装置［７］を徐々に押すことによって、ビーム［９］は、電球の先端によって下方へ押され、および従って電球のＵ字型部分の中へ跳ね返される。ビーム［９］が省エネルギ電球のＵ字型領域内にある間、装置［７］が徐々に下げられている時、ビーム［９］は電球のＵ字型部分に対抗し、および、結果として、ソケットから電球の基部を取り外す（いかなる図にも示されていない）。
【００１５】
装置［７］は、装置［１］のグリップ［４］の外面上に（図１２内に示される）その底部部分を置くことによって、２ピンまたは差し込みピン取り付け電球を取り付けるのに用いられる。省エネルギ２ピンまたは差し込みピン取り付け電球は、単一のまたは２つのＵ字型ランプを有し、そのソケットで係止するために先端に２本のピンを有する。取付けプロセスは、２ピン電球の端部分が装置［７］内へ移動することができるようにビーム［９］を持ち上げ、それ［９］が電球のＵ字型部分内に移動するように、ビーム［９］を解除し、グリップ［４］上に電球の基部を配置し、そのピンがソケット内の位置と一致するように電球の基部を挿入し、および電球が照明されるまで適切な力でこの装置を押す、ことによって実行される。装置［７］が取り外されると、ビームが電球のＵ字型部分の外にあって、その元の位置に戻るまで、ビーム［９］は持ち上げられる（いかなる図にも示されていない）。
【００１６】
電球を交換する際に、装置がランプ内に移動することを可能にするためにハンドルとして働く任意の長い管とともに、装置［７］が使われることができる。管の一端は、装置［７］上の延伸するピン［８］がその中に挿入されることができる少なくとも２つの穴部を有しなければならない。結果として、装置［７］は、ねじ電球を交換するための装置［１］の代わりに、管の端に取り付けられ、かつそこから取り外されることができる（いかなる図にも示されていない）。
（最適な実施態様）
【００１７】
最適な実施態様は、前述のように考案を実施するための最良の形態内にある。
【符号の説明】
【００１８】
１電球交換装置
２ハンドル
３把持部分
４グリップ
５引き締め管
６調整管
７追加的な電球交換装置
８ピン
９ビーム
【図１】
0003157287.tif 000003
【図２】
0003157287.tif 000004
【図３】
0003157287.tif 000005
【図４】
0003157287.tif 000006
【図５】
0003157287.tif 000007
【図６】
0003157287.tif 000008
【図７】
0003157287.tif 000009
【図８】
0003157287.tif 000010
【図９】
0003157287.tif 000011
【図１０】
0003157287.tif 000012
【図１１】
0003157287.tif 000013
【手続補正書】
【提出日】平成21年6月15日(2009.6.15)
【手続補正１】
【補正対象書類名】実用新案登録請求の範囲
【補正対象項目名】全文
【補正方法】変更
【補正の内容】
【実用新案登録請求の範囲】
【請求項１】
ねじ電球のための電球交換装置であって、
把持部［３］の上側に等間隔に設けられた、電球をつかむのに用いられる複数の指のような平坦グリップ［４］と、
前記平坦グリップ［４］が様々なねじ電球の寸法に適合するのに適切な握持距離を有するように前記平坦グリップ［４］を取り囲み、把持部分［３］の最上部よりも上側で前記平坦グリップ［４］に沿って上方へおよび下方へ移動することができる１本の引き締め管［５］と、からなる電球交換装置。
【請求項２】
ねじ電球のための電球交換装置であって、
把持部［３］の上側に等間隔に設けられた、電球をつかむのに用いられる複数の指のような平坦グリップ［４］と、
前記把持部［３］の下側に接続されたハンドル［２］と、
前記ハンドル［２］と前記把持部［３］と平坦グリップ［４］を取り囲み、前記平坦グリップ［４］が前記様々なねじ電球の寸法に適合するのに適切な握持距離を有するように前記平坦グリップ［４］に沿って上方へおよび下方へ移動することができる調整管［６］とからなる電球交換装置。
【請求項３】
両端が開いた中空管から成る２ピンまたは差し込みピン取り付け電球のための請求項１に記載のねじ電球用電球交換装置であって、
前記引き締め管［５］よりも上方で前記グリップ［４］を取り囲み、前記平坦グリップ［４］に沿って上方へおよび下方へ移動することができる装置［７］を備え、
前記装置［７］内部には、適切な長さで延出する複数のピン［８］および前記装置［７］の片側からもう一方まで配置されるビーム［９］があり、前記ビーム［９］の片側はピンを有し、そのピンは前記装置［７］の内壁に取り付けられる枢軸として働き、前記ビーム［９］の反対側が上方へおよび下方へ持ち上げられることができ、片側を前記装置［７］の最上部に接続されるゴム棒が、前記ピン側の前記ビーム［９］の下側に取り付けられ、前記ビーム［９］を元の位置に戻し、前記ビーム［９］を支持するための小さな台が反対側に設けられ、
前記延出するピン［８］が挿入される穴部を有する上端部を備えた長い管ハンドルを有する電球交換装置。
【手続補正書】
【提出日】平成21年11月23日(2009.11.23)
【手続補正１】
【補正対象書類名】明細書
【補正対象項目名】００１５
【補正方法】変更
【補正の内容】
【００１５】
装置［７］は、装置［１］のグリップ［４］の外面上にその底部部分を置くことによって、２ピンまたは差し込みピン取り付け電球を取り付けるのに用いられる。省エネルギ２ピンまたは差し込みピン取り付け電球は、単一のまたは２つのＵ字型ランプを有し、そのソケットで係止するために先端に２本のピンを有する。取付けプロセスは、２ピン電球の端部分が装置［７］内へ移動することができるようにビーム［９］を持ち上げ、それ［９］が電球のＵ字型部分内に移動するように、ビーム［９］を解除し、グリップ［４］上に電球の基部を配置し、そのピンがソケット内の位置と一致するように電球の基部を挿入し、および電球が照明されるまで適切な力でこの装置を押す、ことによって実行される。装置［７］が取り外されると、ビームが電球のＵ字型部分の外にあって、その元の位置に戻るまで、ビーム［９］は持ち上げられる（いかなる図にも示されていない）。